(57)【要約】【課題】比較的に柔軟なシート材料から形成され、近位部が変形し易く、かつ、遠位部が安定的に止着されるテープファスナを有する使い捨てのパンツ型着用物品の提供。【解決手段】  使い捨てのパンツ型着用物品は、前後ウエスト域１３，１４のうちの少なくとも第１ウエスト域１４が横方向Ｘにおいて弾性を有しており、テープファスナ２０が、繊維不織布から形成されており、第１ウエスト域１４の側部１８の近傍に接合域６０を介して固定された近位部２１と、テープファスナ２０を第２ウエスト域１３の外面に剥離可能に掛止めるための掛止め域６８を有する遠位部２２とを含む。遠位部２２のうちの少なくとも接合域６０と掛止め域６８との間には、テープファスナ２０の両側縁部どうしが近づく方向における剛性が近位部２１よりも高い高剛性領域７０が形成される。【選択図】図５
2015134018.tif 000002
【特許請求の範囲】
【請求項１】
縦方向及びそれに直交する横方向を有し、肌対向面及びその反対側の非肌対向面と、前後ウエスト域の一方である第１ウエスト域と、前後ウエスト域の他方である第２ウエスト域と、前記第１及び第２ウエスト域間に位置するクロッチ域とを含み、前記第１及び第２ウエスト域において前記縦方向へ延びる側縁部が互いに重なり合って接合され、前記第１ウエスト域にテープファスナが取り付けられた使い捨てのパンツ型着用物品において、
前記第１及び第２ウエスト域のうちの少なくとも前記第１ウエスト域は前記横方向において弾性を有しており、
前記テープファスナは、繊維不織布シートから形成され、非展開状態における長さ方向とそれに直交する幅方向とを有し、前記幅方向において対向する両側縁と、前記第１ウエスト域に固定された近位部と、展開した状態において前記テープファスナを前記第２ウエスト域の前記非肌当接面に剥離可能に掛止めするための掛止め域を有する遠位部とを含み、前記近位部と前記掛止め域との間には、前記テープファスナの両側縁どうしが近づく方向における剛性が前記近位部よりも高い高剛性領域が形成されることを特徴とする前記着用物品。
【請求項２】
前記テープファスナは、前記近位部及び前記遠位部を画定するベースシートを有し、前記高剛性領域は前記ベースシートに補助シート片を積層して形成される請求項１に記載の着用物品。
【請求項３】
前記ベースシートは、その長さ方向へ連続するシート部材から形成される請求項２に記載の着用物品。
【請求項４】
前記補助シート片の剛性が前記ベースシートの剛性よりも低い請求項２又は３に記載の着用物品。
【請求項５】
前記テープファスナは、前記近位部及び前記遠位部を画定するベースシートを有し、前記ベースシートは、前記近位部を形成する第１テープと、前記遠位部を形成する第２テープとから構成されており、前記第２テープの剛性が前記第１テープの剛性よりも高いことによって、前記高剛性領域が形成される請求項１に記載の着用物品。
【請求項６】
前記テープファスナの折り畳まれた状態における、前記掛止め域の存在領域を除く部分の前記テープファスナの両側縁部どうしが近づく方向のＫＥＳ曲げ剛性値は０．０４〜０．４４ｇｆ・ｃｍ２／ｃｍである請求項１〜５のいずれかに記載の着用物品。
【請求項７】
前記掛止め域はメカニカルファスナのフック要素を有するフックシートから形成されており、前記テープファスナの折り畳まれた状態における、前記掛止め域の存在領域の前記テープファスナの両側縁部どうしが近づく方向のＫＥＳ曲げ剛性値は、約０．５６〜１．８ｇｆ・ｃｍ２／ｃｍである請求項１〜６のいずれかに記載の着用物品。
【請求項８】
前記テープファスナは、前記遠位部が折曲された状態で仮止め部を介して前記近位部に仮止めされており、前記仮止め部は前記横方向において離間する第１及び第２仮止め部を有し、前記掛止め域は前記第１及び第２仮止め部間における前記遠位部の内面に位置する請求項１〜７のいずれかに記載の着用物品。
【請求項９】
前記掛止め域は、メカニカルファスナのフック要素である請求項１〜８のいずれかに記載の着用物品。
【請求項１０】
前記テープファスナは、前記遠位部と前記高剛性領域との間に位置する弾性部をさらに有する請求項１〜９のいずれかに記載の着用物品。
【発明の詳細な説明】
【技術分野】
【０００１】
本発明は、使い捨てのパンツ型着用物品に関し、より詳しくは、テープファスナを有する使い捨てのパンツ型おむつに関する。
【背景技術】
【０００２】
従来、テープファスナを有する使い捨てのパンツ型着用物品は公知である。例えば、特許文献１には、前後ウエスト域に複数条のウエスト弾性体が配設されており、後ウエスト域におけるウエスト開口とレッグ開口との間に配置された一対のテープファスナを有する使い捨てのパンツ型の着用物品開示されている。テープファスナは、接着剤を塗布した接合域を介して後ウエスト域に固定される近位部と近位部に折り畳まれた状態で掛止めされた遠位部とを有する。
【先行技術文献】
【特許文献】
【０００３】
【特許文献１】実開平６−７７７１９号公報
【発明の概要】
【発明が解決しようとする課題】
【０００４】
特許文献１に開示の着用物品によれば、着用中にテープファスナを使用することによって、ウエスト周りの大きさを調整して種々のサイズの着用者にもフィットさせてずり落ちを防止することができるとともに、着用後に、排泄物を包み込むように着用物品を丸め、テープファスナで丸めた状態が維持できるように止着することによって、衛生的に廃棄することができる。また、テープファスナは、裏面シートと同様のシート材料であって、透湿性を有する液不透過性のシートから形成され、柔軟性を有する。
【０００５】
しかし、かかる着用物品のテープファスナにおいては、テープファスナ自体が比較的に柔軟なシート材料から形成されているので、テープファスナが前ウエスト域の外面に掛止めされた状態において、ウエスト弾性体の収縮力によって後ウエスト域とともに近位部が起伏して遠位部が後方へ引っ張られたときに、遠位部がかかる力に抗することができず変形して反り返り易くなり、その掛止めが解除され易くなる。また、使用後、おむつを丸めて廃棄したときにおいては、体液を吸収することによっておむつ全体の厚さ(嵩)が増しているので、折り畳み難く、それを安定的に折り畳んだ状態を維持するために、テープファスナを比較的に強い力で引っ張ったまま掛止めする必要があり、掛止めされた部分にはそれを剥離しようとする力が作用して掛止めが解除され易くなる。このような不利益を防止するために、接合域に使用する接着剤の塗布量を増やしたり、テープファスナ全体をより剛性の高いシート材料で形成することも考えられるが、その場合には、近位部のウエスト弾性体による収縮が不十分となり、テープファスナによる締め付け力が低下するおそれがある。
【０００６】
そこで、本発明の課題は、従来の技術の改良であって、比較的に柔軟なシート材料から形成され、近位部が変形し易く、かつ、遠位部が安定的に掛止めされるテープファスナを有する使い捨てのパンツ型着用物品の提供に関する。
【課題を解決するための手段】
【０００７】
本発明は、縦方向及びそれに直交する横方向を有し、肌対向面及びその反対側の非肌対向面と、前後ウエスト域の一方である第１ウエスト域と、前後ウエスト域の他方である第２ウエスト域と、前記第１及び第２ウエスト域間に位置するクロッチ域とを含み、前記第１及び第２ウエスト域において前記縦方向へ延びる側縁部が互いに重なり合って接合され、前記第１ウエスト域においてテープファスナが取り付けられた使い捨てのパンツ型着用物品に関する。
【０００８】
本発明の使い捨てのパンツ型着用物品は、前記第１及び第２ウエスト域のうちの少なくとも前記第１ウエスト域は前記横方向において弾性を有しており、
前記テープファスナは、繊維不織布シートから形成され、非展開状態における長さ方向とそれに直交する幅方向とを有し、前記幅方向において対向する両側縁と、前記第１ウエスト域に固定された近位部と、展開した状態において前記テープファスナを前記第２ウエスト域の前記非肌当接面に剥離可能に掛止めするための掛止め域を有する遠位部とを含み、前記近位部と前記掛止め域との間には、前記テープファスナの両側縁部どうしが近づく方向における剛性が前記近位部よりも高い高剛性領域が形成されることを特徴とする。
【発明の効果】
【０００９】
本発明に係る使い捨てのパンツ型着用物品の一つ以上の実施態様によれば、テープファスナの遠位部のうちの近位部と掛止め域との間には、近位部よりも剛性の高い高剛性領域が形成されているので、近位部が後ウエスト域とともに柔軟に変形する一方、掛止め域に対してそれを剥離しようとする力が抑制され、遠位部が反り返ってめくれる等して掛止めが不意に解除されるおそれはない。
【図面の簡単な説明】
【００１０】
図面は、本発明の特定の実施形態を示し、発明な不可欠な構成ばかりでなく、選択的及び好ましい実施の形態を含む。
【図１】本発明の第１実施形態における使い捨て着用物品の一例として示す、背面側から視た使い捨ておむつの斜視図。
【図２】おむつのサイドシーム部を剥離して前後方向に伸展した状態をその内面から見た一部破断展開平面図。
【図３】おむつの分解斜視図。
【図４】図２のＩＶ−ＩＶに沿う模式的断面図。
【図５】図１のＶ−Ｖ線に沿う模式的断面図。
【図６】テープファスナの使用状態を示す、正面側から視たおむつの斜視図。
【図７】図６のＶＩＩ−ＶＩＩに沿う断面図。
【図８】テープファスナを使用しておむつを丸めた状態を示す図。
【図９】テープファスナの変更例の一例を示す図１と同様の斜視図。
【図１０】テープファスナの変更例の一例を示す図８と同様の図。
【図１１】第２実施形態におけるおむつの図５と同様の図。
【図１２】第３実施形態におけるおむつの図５と同様の図。
【図１３】第４実施形態におけるおむつの図５と同様の図。
【図１４】第５実施形態におけるおむつの図５と同様の図。
【図１５】第６実施形態におけるおむつの図５と同様の図。
【図１６】第７実施形態におけるおむつの図１と同様の図。
【発明を実施するための形態】
【００１１】
＜第１実施形態＞
図１〜３を参照すると、本発明の使い捨てのパンツ型着用物品の一例として示す使い捨ておむつ１０は、縦方向Ｙ及びそれに直交する横方向Ｘと、縦軸Ｐ及びそれに直交する横軸Ｑとを有する。
【００１２】
おむつ１０は、肌対向面及びそれに対向する非肌対向面と、ウエスト周り方向へ延びる環状の弾性ウエストパネル１１と、弾性ウエストパネル１１と接合される吸収性シャーシ１２と、前ウエスト域（第１又は第２ウエスト域の一方）１３と、後ウエスト域（第１又は第２ウエスト域の他方）１４と、前後ウエスト域１３，１４間に位置するクロッチ域１５とを含む。おむつ１０は、縦軸Ｐに関して対称に形成されており、弾性ウエストパネル１１は、前ウエスト域１３に位置する前ウエストパネル１６と、後ウエスト域１４に位置する後ウエストパネル１７とから構成される。後ウエストパネル１７の両側部１８の外面には、それぞれ、テープファスナ２０が取り付けられる。ここで、「後ウエスト域１４の両側部１８」とは、それぞれ、後ウエスト域１４の両側縁１４ｃ、１４ｄから吸収性シャーシ１２の両側縁までの部分を意味する。
【００１３】
前ウエスト域１３は、横方向Ｘへ延びる内端縁１３ａと、縦方向Ｙにおいて内端縁１３ａと離間対向して横方向Ｘへ延びる外端縁１３ｂと、内外端縁１３ａ，１３ｂ間において縦方向Ｙへ延びる両側縁１３ｃ，１３ｄとによって画定された横長矩形状を有する。
【００１４】
後ウエスト域１４は、横方向Ｘに延びる中間内端縁１４ａと、縦方向Ｙにおいて中間内端縁１４ａと離間対向して横方向Ｘに延びる外端縁１４ｂと、外端縁１４ｂから内方へ直状に延びる両側縁１４ｃ，１４ｄと、両側縁１４ｃ，１４ｄと中間内端縁１４ａとを曲状に結ぶ両側内端縁１４ｅ，１４ｆとによって画定された略台形状を有する。
【００１５】
前ウエスト域１３の両側縁１３ｃ，１３ｄのそれぞれと後ウエストパネル１４の両側縁１４ｃ，１４ｄとは、互いに重ね合わされ、縦方向Ｙへ断続的に位置するサイドシーム２３によって連結されておむつ１０の両側縁部１９が形成され、ウエスト開口２４及び一対のレッグ開口とが画成される。サイドシーム２３は、公知の接合手段、例えば、熱エンボス／デボス加工、ソニック加工等の各種の熱溶着手段によってなされる。テープファスナ２０は、図５に示すように、その長さ方向において互いに対向する第１端（自由端）２０ａ及び第２端（固定端）２０ｂと、後ウエスト域１４の両側部１８に固定された遠位部（自由部）２２と、遠位部２２と連続的に延びる近位部（固定部）２１とを有する（図５参照）。
【００１６】
本実施形態において、テープファスナ２０は、後ウエスト域１４の両側部１８に取り付けられているが、後記の本発明の効果を奏する限りにおいて、一方の側部１８にのみ取り付けられていてもよいし、前ウエスト域１３の両側縁部又はその一方に取り付けられていてもよい。
【００１７】
図３を参照すると、前ウエストパネル１６は、前ウエスト域１３を画定する矩形状の前ウエストシート２５を有する。前ウエストシート２５は、横方向Ｘに延び、互いに縦方向Ｙにおいて離間対向する内外端縁２５ａ，２５ｂと、縦方向Ｙに延び、内外端縁２５ａ，２５ｂ間に位置する両側縁２５ｃ，２５ｄとから形成される。前ウエストシート２５は、吸収性シャーシ１２の前端部１２ａから縦方向の外側に位置する折曲部２６をさらに有し、該折曲部２６は、横方向Ｘ延びる折曲ライン２６ａに沿って縦方向Ｙの内側に折曲されて後記の前弾性シート４８及び吸収性シャーシ１２に固定される。前ウエストシート２５の折曲部２６から内方に位置する主体部２７と折曲部２６との間、主体部２７と前弾性シート４８との間には、複数条のストランド状又はストリング状の前ウエスト弾性体２８が横方向Ｘに伸長状態で収縮可能に固定される。
【００１８】
後ウエストパネル１７は、後ウエスト域１４を画定する台形状の後ウエストシート３０を有する。後ウエストシート３０は、横方向Ｘに延び、互いに縦方向Ｙにおいて離間対向する中間内端縁３０ａ及び外端縁３０ｂと、縦方向Ｙへ延びる両外側縁３０ｃ，３０ｄと、両外側縁３０ｃ，３０ｄと内端縁３０ａとを結ぶ凹曲状の両側内端縁３０ｅ，３０ｆとから形成される。後ウエストシート３０は、主体部３１と、吸収性シャーシ１２の後端部１２ｂ縦方向Ｙの外側に位置し、両側縁３０ｃ，３０ｄ間において横方向Ｘへ延びる外折曲ライン３２と、両側内端縁３０ｅ，３０ｆ間において横方向Ｘに延びる内折曲ライン（図示せず）と、外折曲ライン３２を介して後ウエストシート３０の内面側へ折曲されて吸収性シャーシ１２の後端部１２ｂの内面と主体部３１の内面とに固定される外折曲部３３と、内折曲ラインに沿って後ウエストシート３０の内面側へ折曲されて、主体部３１の内面に固定される内折曲部３４とを有する。
【００１９】
後ウエストシート３０の主体部３１と外折曲部３３との間、主体部３１と後記の後弾性シート４９との間には、複数条のストランド状又はストリング状の後ウエスト弾性体３５が横方向Ｘに伸長状態で収縮可能に配設される。また、内折曲部３４内には、横方向Ｘへ延びる臀部弾性体３６が伸長状態で収縮可能に配設される。
【００２０】
前後ウエストシート２５，３０としては、質量が約１０〜４０ｇ／ｍ２であり、繊維密度が約０．０３〜０．１ｇ／ｃｍ３である、例えば、スパンボンド繊維不織布、ＳＭＳ（スパンボンド・メルトブローン・スパンボンド）繊維不織布、エアスルー繊維不織布、プラスチックシート、またはそれらのラミネートシート等を用いることができる。前後ウエスト弾性体２８，３５及び臀部弾性体３６は、例えば、所要の収縮力又は伸長応力を得るため、太さが約３００〜８００ｄｔｅｘ、伸長倍率が１．５〜３．５倍のストリング状又はストランド状の弾性材料を用いることができるところ、その太さや伸長倍率は適宜変更することができる。
【００２１】
吸収性シャーシ１２は、長方形状であって、前端部１２ａと、後端部１２ｂと、前後端部１２ａ，１２ｂ間に位置する中間部１２ｃとを有する。吸収性シャーシ１２は、肌対向面側に位置し、透液性を有する繊維不織布製の身体側ライナ４０と、曲状の両側縁を有する吸液性の吸収体４１と、吸収体４１の底面全体を覆う不透液性の防漏シート４２と、吸収性シャーシ１２の非肌対向面全体を形成する不透液性又は難透液性の被覆シート４３とを含む。吸収体４１は、フラッフパルプと超吸収性ポリマー粒子等との混合物から形成された芯材と、芯材全体を包被するティッシュペーパ等の液吸収拡散性のコアラップシートとを含む。
【００２２】
被覆シート４３は、防漏シート４２の両側縁から横方向Ｘの外側に位置する両側部４４を有する。両側部４４は、防漏シート４２の両側縁に隣接する折曲ラインに沿って内側に折曲されて身体側ライナ４０の内面に固定される。具体的には、両側部４４は、身体側ライナ４０に固定される縦方向Ｙにおいて互いに離間する両端固定部と、身体側ライナ４０の両側縁部に固定される両側固定部と、両端固定部間において縦方向Ｙに延びる身体側ライナ４０に固定されていない自由部とを有する。自由部の縁部（自由縁部）４３ａは被覆シート４３の外側縁を折り曲げてなるスリーブ状を有し、該縁部４３ａには縦方向Ｙへ延びる複数条のストリング状又はストランド状の弾性体４５が伸長状態で収縮可能に配設される。弾性体４５が収縮することによって、該縁部４３ａが身体側ライナ４０から着用者の身体側へ離間し、着用者の大腿部にフィットして排泄物の漏れを防止する。また、被覆シート４３の両側部４４と防漏シート４２との間には、複数条のストリング状又はストランド状のレッグ弾性体４６が配設される。
【００２３】
吸収性シャーシ１２の前後端部１２ａ，１２ｂの肌対向面側には、それぞれ、横方向Ｘへ伸長状態で収縮可能に取り付けられた前後弾性シート４８，４９が位置する。前弾性シート４８は、横長矩形状を有し、少なくとも吸収性シャーシ１２の両側縁よりも横方向Ｘの外側に位置する前ウエストシート２５及び吸収性シャーシ１２に固定される。後弾性シート４９は、略台形状を有し、縦方向Ｙにおいて互いに対向する中間内端縁及び外端縁と、縦方向に延びる両外側縁と、両外側縁と内端縁とをむすび凹曲状の両内側縁とから形成される。後弾性シート４９は、その両外側縁と両内側縁とが後ウエストシート３０の両外側縁３０ｃ，３０ｄと両側内端縁３０ｅ，３０ｆとの一部と重なるように配置される。後弾性シート４９と吸収性シャーシ１２の後端部１２ｂとの間には、横方向Ｘへ延びる複数条のストリング状又はストランド状の弾性体５０が伸長状態で収縮可能に配設される。
【００２４】
前後弾性シート４８，４９としては、例えば、質量が約３０〜４０ｇ／ｍ２、繊維密度が０．０１〜０．０４ｇ／ｃｍ３の範囲であるエラストマー繊維からなる伸縮性繊維不織布を用いることができる。前後弾性シート４８，４９は、非伸長時の寸法よりも横方向Ｘに約２．４倍伸長された状態で前後ウエストシート２５，３０及び吸収性シャーシ１２に固定される。
【００２５】
図２を参照すると、後ウエスト域１４は、後ウエスト弾性体３５によって少なくとも横方向Ｘへの弾性を付与された第１弾性域５１と、後弾性シート４９及び弾性体５０とによって少なくとも横方向Ｘへの弾性を付与された第２弾性域５２とを有する。テープファスナ２０の近位部２１（図５参照）は、後ウエスト域１４の両側部１８における第１弾性域５１に位置しており、後記のとおり、第１弾性域５１の収縮時においてその収縮力よって起伏する。ここで、第１弾性域５１とは、テープファスナ２０の近位部２１と平面視において重なる後ウエスト弾性体３５が配置された領域であって、第２弾性域５２とは、第１弾性域５１よりもクロッチ域１５側に位置する弾性域を意味する。第１弾性域５１は、その全部又は少なくとも１本の後ウエスト弾性体３５が、後ウエスト域１４の両側縁１４ｃ，１４ｄ間において横方向Ｘへ連続して延びており、その一部が吸収性シャーシ１２と平面視において重なっている。第２弾性域５２における弾性体５０は、本実施形態において、後ウエスト弾性体３５と同様に横方向に連続して延びているが、吸収性シャーシ１２と平面視において重なる部分において切断又は実質的に収縮力が発現しない状態（例えば、１．０〜１．３倍に伸長された状態）にされていることが好ましい。かかる場合には、第１弾性域５１の後ウエスト弾性体３５がその収縮力によって吸収性シャーシ１２を着用者の身体にフィットさせる一方、第２弾性域５２の弾性体５０が吸収性シャーシ１２と重なる部分において非連続とされていることによってその収縮力が吸収性シャーシ１２に直接的に作用せず、吸収性シャーシ１２を着用者の身体（膨らんだ下腹）の形状に沿ってフィットさせることができ、身体と吸収性シャーシ１２との間に生じた隙間から体液が漏れるのを防止することができる。第１弾性域５１と第２弾性域５２とは、同一又は異なる収縮力又は伸長応力を有するものであって、着用者の下腹部を圧迫することなくおむつ１０をフィットさせ、かつ、着用時におけるずり下がり等を防止するために、第２弾性域５２の収縮力又は伸長応力が第１弾性域５１のそれよりも高いことが好ましい。
【００２６】
図５を参照すると、後ウエスト域１４の外面に固定された一対のテープファスナ２０は、断面Ｚ字型に折り畳まれた１枚のテープであるベースシート５８を含む。テープファスナ２０は、接合域６０を介して後ウエスト域１４の外面に剥離不能に固定された近位部２１と、遠位部２２とを有する。遠位部２２は、近位部２１とテープファスナ２０の厚さ方向において対向する第１遠位部６１と、第１遠位部６１に連なりそれと厚さ方向において対向する第２遠位部６２とを有する。近位部２１，第１及び第２遠位部６１，６２は、積層された状態において第１及び第２折曲部５５，５６に位置する仮止め部（第１及び第２仮止め部）６５，６６によって仮止めされる。遠位部２２は、第１折曲部５５に位置する仮止め部６５からサイドシーム２３側に延びる摘持部６３をさらに有する。仮止め部６５，６６間における第２遠位部６２の内面には、メカニカルファスナのフック要素や感圧性接着剤から形成された掛止め域（ファスニング域）６８が配置される。本実施形態においては、複数のフック要素を有するフックシートが配置されている。
【００２７】
遠位部２２における第２折曲部５６と掛止め域６８との間には、ベースシート５８にそれとは別体のシート材料から形成された補助シート片６９が積層される。ベースシート５８と補助シート片６９とが積層された領域は、近位部２１及び第１遠位部６１に比べて剛性が高い高剛性領域７０が形成される。
【００２８】
ベースシート５８には、繊維不織布、例えば、質量が約２０〜１００ｇ／ｍ２、好ましくは、約４０〜８０ｇ／ｍ２のスパンボンド繊維不織布、補助シート片６９としては、例えば、質量が約１０〜６０ｇ／ｍ２、好ましくは、約２０〜４０ｇ／ｍ２のスパンボンド繊維不織布を好適に用いることができる。ベースシート５８と補助シート片６９とを同一の繊維不織布から形成してもよいが、ベースシート５８の質量が補助シートの質量よりも大きく、剛性が高いことが好ましい。ベースシート５８の質量が補助シート片６９の質量よりも小さい場合には、摘持部６３を引っ張ったときに、そのシートの強度差によって、近位部２１と補助シート片６９のとの間においてベースシート５８が破断するおそれがあるからである。また、補助シート片６９の剛性をベースシート５８のそれよりも低くすることによって、テープファスナ２０の積層状態において補助シート片６９の積層域の外面が比較的に柔軟となり、肌触りが良好となる。
【００２９】
＜曲げ剛性値＞
既述のとおり、テープファスナ２０は繊維不織布から形成されていることから、プラスチックフィルムから形成されている場合に比して柔軟性に優れており、さらに、テープファスナ２０において最も剛性が高くなる部分は掛止め域６８のフックシートが位置する部分（高剛性部）であるところ、フックシートとして比較的に柔軟な材料を使用することによって、テープファスナ２０の幅方向における柔軟性をさらに向上させることができる。
【００３０】
具体的には、テープファスナ２０の折り畳まれた状態における、高剛性部を除く部分（高剛性領域７０を除く）の縦方向Ｙ（テープファスナ２０の幅方向であって、両側縁部どうしが互いに近づく方向）のＫＥＳ曲げ剛性値は０．０４〜０．４４ｇｆ・ｃｍ２／ｃｍ、高剛性部の縦方向Ｙ（テープファスナ２０の幅方向であって、両側縁部７０どうしが互いに近づく方向）におけるＫＥＳ曲げ剛性値は約０．５６〜１．８ｇｆ・ｃｍ２／ｃｍである。従来における、廃棄用またはサイズ調整用として使用される、プラスチックフィルムから形成されたテープファスナの折り畳まされた状態におけるＫＥＳ曲げ剛性値は、約２．０ｇｆ・ｃｍ２／ｃｍであることから、本実施形態のテープファスナは従来のテープファスナに比べて幅方向における曲げ剛性値が低く、柔軟性に優れる。かかる曲げ剛性値となるために、ベースシート５８及び補助シート片６９には質量約３０〜１００ｇ／ｍ２のスパンボンド不織布を用いることが好ましく、少なくとも折り畳まれた状態におけるテープファスナ２０の両側縁部から所与寸法離間して仮止め部６５，６６が位置し、かつ、積層された部分の対向面全体が仮止めされていないことが好ましい。このように、テープファスナ２０の幅方向（おむつ１０の縦方向Ｙ）における曲げ剛性値が比較的に低いことから、体を反らしたり前屈したりしてテープファスナ２０の着用者の身体が間接的に当接する場合であっても、それが肌に食い込んで跡が付いたり痛みを与えたりするおそれはない。
【００３１】
接合域６０には、例えば、質量約５〜２０ｇ／ｍ２の好ましくは疎水性のホットメルト接着剤を使用することができる。第１及び第２仮止め部６５，６６は、公知の加圧処理や加圧加熱処理を施すことによって設けることができ、例えば、エンボス／デボス処理またはソニック処理によって設けることができる。テープファスナ２０自体が熱可塑性の合成繊維を有するものである場合には、加圧加熱処理を施し、繊維が互いに熱融着することによってより安定的に仮止めすることができる。
【００３２】
後ウエスト域１４は後ウエスト弾性体３５の収縮作用によって横方向Ｘに収縮し、横方向Ｘに連続する複数の皺７１が形成される。また、後ウエスト域１４におけるテープファスナ２０の近位部２１が位置する領域には、少なくとも１条の後ウエスト弾性体３５が位置しており、該弾性体３５の収縮によって、テープファスナ２０は後ウエスト域１４とともにウエスト周り方向へ連続する起伏が生じる。第１仮止部６５と第２仮止部６６との間において近位部２１に積層された第１及び第２遠位部６１，６２は、近位部２１が変形してその長さ寸法が小さくなることによる影響を受けて、後ウエスト域１４の外面から離間する方向へ浮き上がったような状態となり、摘持部６３も外面から離間するので、テープファスナ２０の操作時に着用者又は着用補助者は、摘持部６３を摘み易くなる。また、遠位部２２がこのように後ウエスト域１４の外面から離間することによって、テープファスナ２０が積層された状態であってもその配置領域が着用者に違和感を与える程度に高い剛性を有することはない。かかる構成を有するテープファスナ２０において、仮想線で示すとおり、おむつ１０の着用者又は着用補助者が摘持部６３を摘んで矢印Ｆの方向へ引っ張り上げることによって、仮止め部６５，６６による仮止めが解除され、テープファスナ２０が展開される。
【００３３】
図６及び図７を参照すると、展開したテープファスナ２０は、第２遠位部６２の掛止め域６８を介して前ウエスト域１３の外面に掛止められる。テープファスナ２０のベースシート５８は、繊維不織布製であるので、それが比較的に剛性の高いプラスチックシートから形成される場合に比して柔軟であり、湾曲した前ウエスト域１３の外面に沿って延びる。また、前記のとおり、近位部２１が後ウエスト域１４の収縮に応じて変形し易く、遠位部２２全体にはそれを後ウエスト域１４側に引っ張ろうとする力が作用する。したがって、前ウエスト域１３の外面に掛止めされた遠位部２２が後方へ引っ張られて、おむつ１０の両側縁部が近位部２１と遠位部２２との間で引き寄せられるので、前後ウエスト域１３，１４を着用者の身体にフィットさせることができ、サイズ調整が容易である。なお、掛止め域６８は、フック要素のほかに粘着剤を塗布することによって設けてもよい。掛止め域６８が、メカニカルファスナのフック要素から形成されている場合には、繊維不織布から形成された前ウエストシート２５に直接掛止めることのほかに、前ウエスト域１３の外面にループ要素を有するランデング又はターゲットシートを貼付して該シートに掛止めてもよい。
【００３４】
かかる状態において、本実施形態のようにベースシート５８が繊維不織布から形成される場合には、近位部２１による遠位部２２を後方へ引っ張ろうとする力によって第２遠位部６２が反り返り、掛止め域６８が前ウエスト域１３の外面から剥がれてしまうおそれがある。一方、かかる不利益を防止するために、ベースシート５８全体の剛性を比較的に高くすると、近位部２１が後ウエスト域１４の起伏に沿って変形できず、後ウエスト域１４の外面から近位部２１の一部が剥がれてしまうおそれがある。また、ベースシート５８全体の剛性を比較的に低くして、接合域６０を形成するホットメルト接着剤の質量を増やしてより接合強度を上げる場合には、近位部２１近傍の後ウエスト域１４の両側部１８が他の領域に比して剛性が高くなり、ごわごわして肌に違和感を与えるおそれがある。
【００３５】
本実施形態に係るテープファスナ２０においては、その掛止めされた状態において全体が後ウエスト域１４の収縮によって後方へ引っ張れたとしても、近位部２１と掛止め域６８との間に高剛性領域７０が形成されていることによって、掛止め域６８が安定的に前ウエスト域１３の外面に掛止められ、それが解除されるおそれはない。すなわち、前後ウエスト域１３，１４がウエスト周り方向に伸縮することによって、テープファスナ２０はウエスト周り方向へ引っ張られ、テープファスナ２０が変形してその両側縁部２０ｃ，２０ｄが反り返ったような状態となる。このように両側縁部２０ｃ，２０ｄが反り返ることによって掛止め域６８には剥離力が作用して剥離し易くなるところ、近位部２１と掛止め域６８との間に高剛性領域７０を配置することによって、テープファスナ２０を変形しようとする力を分散し、その変形を抑えることができる。また、テープファスナ２０を前ウエスト域１３に掛止めることによって、サイドシーム２３が位置するおむつ１０の側縁部が前ウエスト域１３側へ倒伏される。倒伏された側縁部は、元の状態に復帰しようとしてそれに対向して接する第１遠位部６１に外方へ向かう力を加え、遠位部２２を凸曲状に変形させようとする。側縁部近傍の遠位部２２がこのように変形することによって、掛止め域６８には剥離力が作用するが、高剛性領域７０がおむつ１０の側縁部と掛止め域６８との間に位置することによって遠位部２２の変形を抑え、掛止め域６８に剥離力が作用するのを抑制することができる。
【００３６】
かかる効果を奏するために、遠位部２２のうちの近位部２１と掛止め域６８との間に位置する部分、すなわち、第１遠位部６１全域及び第２遠位部６２の一部とに連続して補助シート片６９が配置され、高剛性領域７０が形成されていてもよい。かかる態様の場合には、近位部２１から掛止め域６８におけるテープファスナ２０の反り返りや変形を抑えることができるからである。また、高剛性領域７０は、近位部２１と仮止め部６６との間に位置していてもよいし、一部が掛止め域６８と重なるように位置していてもよい。
【００３７】
図８を参照すると、おむつ１０を廃棄する態様の一例が示され、まず、おむつ１０の使用後に、サイドシーム２３を剥離して前後ウエスト域１３，１４の両側縁部を離間させ、該両側縁部を内側へ折り曲げ、クロッチ域１５を前後ウエスト域１３，１４に向かって丸め込むように折り曲げる。次に、テープファスナ２０の遠位部２２を掛止め域６８を介してクロッチ域１５の外面に掛止めする。これにより、おむつ１０を丸めた状態を保持することができ、排泄物を外部に漏らすことなく衛生的に廃棄することができる。特に、通常のテープファスナを備えた開放型おむつにおいては、おむつを丸めた状態を比較的に長時間維持することができず、廃棄用の収容箱に一時的に保管しているときにテープファスナの掛止め力が低下して、掛止めが解除されるおそれがあるところ、本実施形態におけるおむつ１０によれば、かかる不利益を生じるおそれはない。また、既述のとおり、掛止め域６８はメカニカルファスナのフック要素や粘着剤等によって形成することができるが、フック要素で形成されている場合には、感圧性接着剤で形成されている場合に比して比較的に長時間掛止め状態を維持することができる。また、掛止め域６８がフック要素で形成されている場合には、体液で濡れても掛止め強度が低下することがなく、さらに、おむつ１０を丸めて廃棄するときに、掛止めが解除された場合やおむつ１０の丸めた状態を維持するためにさらに強く締め付ける場合等において繰り返し掛止め操作を行うことができる。
【００３８】
図９及び１０は、テープファスナ２０の変更例を示すものであって、本変更例においては、テープファスナ２０が後ウエスト域１４の横方向Ｘの中央部に１つ配置されている。このように、複数ではなく単数のテープファスナ２０が後ウエスト域１４に配置されている場合であっても、おむつ１０の廃棄時に、おむつ１０を丸めた状態でテープファスナ２０の摘持部６３を摘んで展開させながらウエスト開口側へ引っ張って前ウエスト域１３に掛け止めることによって、丸めた状態を維持し、かつ、排泄物の漏れを防止することができる。
【００３９】
＜第２実施形態＞
図１１を参照すると、本実施形態において、補助シート片６９は、第２遠位部６２の全域に配置されている。かかる態様においては、より効果的に遠位部２２の反り返りを防止することができるとともに、テープファスナ２０の外面全体が柔軟性を有し、着用者の身体に対する肌当たりが良好となる。
【００４０】
＜第３実施形態＞
図１２を参照すると、本実施形態において、ベースシート５８は、近位部２１を形成する第１テープ８１と、遠位部２２を形成する第２テープ８２とから構成される。第１テープ８１と第２テープ８２とは、接合部８４において互いに接合される。仮止め部６５，６６は、接合部８４と第２テープ８２の折曲部位とに位置し、それらのテープどうしの積層状態が維持される。本実施形態において、前記の本願発明による効果を奏するために、少なくとも遠位部２２の剛性が近位部２１の剛性よりも高くなっていることが好ましく、換言すれば、第２テープ８２の剛性が第１テープ８１のそれよりも高いものであることが好ましい。かかる剛性の相関関係であっても、近位部２１と遠位部２２の掛止め域６８との間において、近位部２１よりも剛性の高い高剛性領域７０が形成されるからである。
【００４１】
＜第４実施形態＞
図１３を参照すると、本実施形態に係るテープファスナ２０において、ベースシート５８が二つに折り曲げられており、第２端２０ｂが接合域６０の外端よりも横方向Ｘの外側に位置している。本実施形態のように、ベースシート５８が複数折曲された態様でなくてもよい
【００４２】
＜第５実施形態＞
図１４を参照すると、本実施形態に係るテープファスナ２０は、ベースシート５８が折曲されずに横方向Ｘに延びており、使用前の状態において、接合域６０から横方向Ｘの外側へ所与寸法離間して掛止め域６８が位置し、掛止め域６８を介して遠位部２２が後ウエスト域１４の側部に掛止められている。補助シート片６９は、ベースシート５８の遠位部２２のうちの掛止め域６８の少なくとも一部と平面視において互いに重なって位置しており、該積層された部分に高剛性領域７０が形成される。
【００４３】
＜第６実施形態＞
図１５を参照すると、本実施形態に係るテープファスナは、第５実施形態と同様に、テープファスナ２０は、ベースシート５８が折曲されてない状態で横方向Ｘに直状に延びている。ベースシート５８は、接合域６０と高剛性領域７０との間に弾性部９０を有する。ベースシート５８が弾性部９０を有するために、近位部２１と弾性部９０を除く遠位部２２の部分が非弾性のシートで形成され、弾性部９０がそれらに接合された弾性シートから形成されていてもよいし、ベースシート５８全体が弾性シートから形成されていてもよい。後者の場合には、近位部２１は接合域６０を介して後ウエスト域１４に固定されていることから非弾性化され、高剛性領域７０において補助シート片６９が積層されていることによってベースシート５８の弾性が低減、抑制され、低弾性域又は非弾性域となる。これらいずれの場合であっても、ベースシート５８に弾性部９０が設けられることによってより、テープファスナ２０の締結力が向上するとともに、高剛性領域７０によって掛止め域６８に対するそれを剥離しようと力が抑制されるので、安定的に掛止めできる。
【００４４】
＜第７実施形態＞
図１６を参照すると、本実施形態にかかるおむつ１０は、弾性ウエストパネル１１の外面がキルト模様９１の繊維不織布から形成される。テープファスナ２０の外面、すなわち、遠位部２２の外面には弾性ウエストパネル１１の外面と同様にキルト模様９１を有する繊維不織布から形成された補助シート片６９が配置される。このように、非展開状態におけるテープファスナ２０の外面の繊維不織布として、おむつ１０本体の外面に用いた不織布と同一のものを用いたり、同一若しくは互いに相似するエンボスパターンの不織布を用いたり、または、同一の色彩、同一又は互いに相似する模様、図柄を施したものを用いることによって、おむつ１０の外面に取り付けられたテープファスナ２０がおむつ本体と視覚的に一体感が得られ、おむつ本体に別体のテープファスナ２０を取り付けることによる異物感を低減することができる。
【００４５】
おむつ１０を構成する各構成材料には、特に限定されている場合を除き、本明細書に記載されている材料のほかに、この種の分野において通常用いられている、各種公知の材料を制限なく使用することができる。また、おむつ１０は、前ウエスト域１３と、後ウエスト域１４と、クロッチ域１５とが一連に形成された態様であってもよい。本明細書及び特許請求の範囲において、用語「第１」、「第２」及び「第３」は、同種の要素、位置等を単に区別するために用いられている。
【００４６】
以上の記載した本発明に関する開示は、少なくとも下記事項に整理することができる。
縦方向及びそれに直交する横方向を有し、肌対向面及びその反対側の非肌対向面と、前後ウエスト域の一方である第１ウエスト域と、前後ウエスト域の他方である第２ウエスト域と、前記第１及び第２ウエスト域間に位置するクロッチ域とを含み、前記第１及び第２ウエスト域において前記縦方向へ延びる側縁部が互いに重なり合って接合され、前記第１ウエスト域にテープファスナが取り付けられた使い捨てのパンツ型着用物品において、
前記第１及び第２ウエスト域のうちの少なくとも前記第１ウエスト域は前記横方向において弾性を有しており、
前記テープファスナは、繊維不織布シートから形成され、非展開状態における長さ方向とそれに直交する幅方向とを有し、前記幅方向において対向する両側縁と、前記第１ウエスト域に固定された近位部と、展開した状態において前記テープファスナを前記第２ウエスト域の前記非肌当接面に剥離可能に掛止めするための掛止め域を有する遠位部とを含み、前記近位部と前記掛止め域との間には、前記テープファスナの両側縁部どうしが近づく方向における剛性が前記近位部よりも高い高剛性領域が形成されることを特徴とする前記着用物品。
【００４７】
上記段落００４６に開示した本発明は、少なくとも下記の実施の形態を含むことができる。該実施の形態は、分離して又は互いに組み合わせて採択することができる。
（１）前記テープファスナは、前記近位部及び前記遠位部を画定するベースシートを有し、前記高剛性領域は前記ベースシートに補助シート片を積層して形成される。
（２）前記ベースシートは、その長さ方向へ連続するシート部材から形成される。
（３）前記補助シート片の剛性が前記ベースシートの剛性よりも低い。
（４）前記テープファスナは、前記近位部及び前記遠位部を画定するベースシートを有し、前記ベースシートは、前記近位部を形成する第１テープと、前記遠位部を形成する第２テープとから構成されており、前記第２テープの剛性が前記第１テープの剛性よりも高いことによって、前記高剛性領域が形成される。
（５）前記テープファスナの折り畳まれた状態における、前記掛止め域の存在領域を除く部分の前記テープファスナの両側縁部どうしが近づく方向のＫＥＳ曲げ剛性値は０．０４〜０．４４ｇｆ・ｃｍ２／ｃｍである。
（６）前記掛止め域はメカニカルファスナのフック要素を有するフックシートから形成されており、前記テープファスナの折り畳まれた状態における、前記掛止め域の存在領域の前記テープファスナの両側縁部どうしが近づく方向のＫＥＳ曲げ剛性値は、約０．５６〜１．８ｇｆ・ｃｍ２／ｃｍである。
（７）前記テープファスナは、前記遠位部が折曲された状態で仮止め部を介して前記近位部に仮止めされており、前記仮止め部は前記横方向において離間する第１及び第２仮止め部を有し、前記掛止め域は前記第１及び第２仮止め部間における前記遠位部の内面に位置する。
（８）前記掛止め域は、メカニカルファスナのフック要素である。
（９）前記テープファスナは、前記遠位部と前記高剛性領域との間に位置する弾性部をさらに有する。
【符号の説明】
【００４８】
１０  使い捨てのパンツ型着用物品（使い捨ておむつ）
１３  前ウエスト域
１４  後ウエスト域
１５  クロッチ域
２０  テープファスナ
２１  近位部
２２  遠位部
５８  ベースシート
６０  接合域
６５  第１仮止め部
６６  第２仮止め部
６８  掛止め域
６９  補助シート片
７０  高剛性領域
８１  第１テープ
８２  第２テープ
９０  弾性部
Ｘ    横方向
Ｙ    縦方向
【図１】
2015134018.tif 000003
【図２】
2015134018.tif 000004
【図３】
2015134018.tif 000005
【図４】
2015134018.tif 000006
【図５】
2015134018.tif 000007
【図６】
2015134018.tif 000008
【図７】
2015134018.tif 000009
【図８】
2015134018.tif 000010
【図９】
2015134018.tif 000011
【図１０】
2015134018.tif 000012
【図１１】
2015134018.tif 000013
【図１２】
2015134018.tif 000014
【図１３】
2015134018.tif 000015
【図１４】
2015134018.tif 000016
【図１５】
2015134018.tif 000017
【図１６】
2015134018.tif 000018